(57)【要約】  容器の実施形態は蓋及び本体を含んでよい。蓋は上部部分、外側周縁を形成する蓋壁、及び外側周縁より小さいサイズで作られる内側周縁を形成する突出端部を含んでよい。本体は底部部分並びに空洞及び本体周縁を形成する遠端の最外端部を有する本体壁を含んでよい。本体周縁は、外側周縁と実質的に同じサイズであってよい。また、本体は、遠端の最外端部の回りに配置され、遠端の最外端部間に溝を有する上部外側リム及び上部内側リム含んでよい。溝は、容器が閉められた位置にあるときに摩擦シール内に突出端部を受け入れるサイズで作られてよい。蓋の部分は、閉められた位置で空洞の中に、又は本体周縁を越えて伸長するように構成されないことがある。【選択図】図１
2016525049.tif 000002
【特許請求の範囲】
【請求項１】
上部部分と、
前記上部部分から延在し、外側周縁を形成する蓋壁と、
前記上部部分から反対方向で前記蓋壁から延在する突出端部であって、前記外側周縁よりも小さいサイズに作られる内側周縁を形成する前記突出端部と
を含む蓋と、
底部部分であって、本体壁が、前記本体壁の近端部から前記本体壁の遠端の最外端部まで前記底部部分から延在し、前記本体壁が内側で空洞、及び外側で本体周縁を形成し、前記本体周縁が前記近端部と前記遠端の最外端部との間で実質的に一貫したサイズを有し、前記外側周縁と実質的に同じサイズに作られる、底部部分と、
前記遠端の最外端部の最外端縁の回りに形成された上部外側リムと、
前記遠端の最外端部の内縁の回りに形成された上部内側リムであって、前記上部外側リム及び前記上部内側リムが前記遠端の最外端部全体の回りに配置され、前記上部外側リムと前記上部内側リムとの間に溝を有し、前記溝が、前記容器が閉められた位置にあるときに摩擦シール内に前記突出端部を受け入れるサイズに作られる、上部内側リムと
を含む本体と
を備え、
前記蓋の部分が前記閉められた位置で前記空洞の中に又は前記本体周縁を越えて延在するように構成されない、
容器。
【請求項２】
前記蓋及び前記本体が、前記容器が前記閉められた位置にあるときに、同一平面上の嵌合部を実質的に形成する、請求項１に記載の容器。
【請求項３】
前記空洞が、前記容器が前記閉められた位置にあるときに気密及び防水である、請求項２に記載の容器。
【請求項４】
前記突出端部の第１の側面に配置される１つまたは複数の第１の摩擦シーラー（複数の場合がある）をさらに備える、請求項１に記載の容器。
【請求項５】
前記第１の側面の反対側である前記突出端部の第２の側面に配置される１つ又は複数の第２の摩擦シーラー（複数の場合がある）をさらに備える、請求項４に記載の容器。
【請求項６】
前記１つ又は複数の第１の摩擦シーラー及び第２の摩擦シーラーが、前記容器が前記閉められた位置にあるときに前記溝の中に前記摩擦シールを形成するために曲がる可撓リブである、請求項５に記載の容器。
【請求項７】
前記上部内側リムが、前記閉められていない位置から前記閉められた位置に前記突出端部を案内するように適応された第１のガイドを有する、請求項１に記載の容器。
【請求項８】
前記上部外側リムが、閉められていない位置から前記閉められた位置に前記突出端部を案内するように適応された第２のガイドを有する、請求項７に記載の容器。
【請求項９】
前記第１のガイド及び前記第２のガイドがそれぞれ丸みを帯びた端縁である、請求項８に記載の容器。
【請求項１０】
前記空洞が１つ又は複数のコンパートメントを含み、各コンパートメントが１本のタバコを受け入れるようなサイズに作られ、別のコンパートメントがブックマッチを受け入れるサイズに作られた、請求項１に記載の容器。
【請求項１１】
前記空洞が１つ又は複数のコンパートメントを含み、各コンパートメントが単一の一連の弾丸を受け入れるサイズに作られた、請求項１に記載の容器。
【請求項１２】
前記空洞が前記底部部分から延在する１つ又は複数のコンパートメントを含み、各コンパートメントが第１の直径の底部チャンバ部分、及び前記第１の直径よりも大きい第２の直径の上部チャンバ部分を有し、前記チャンバ部分が吊るされた位置で銃弾を保持するように適応され、これにより前記銃弾の先端が前記底部部分に接触せずに前記底部チャンバ部分の中に下方に伸長し、前記銃弾の上部リムが前記上部チャンバ部分の上方で、前記それぞれのコンパートメントの上方且つ前記本体壁の前記遠端の最外端部の下方の開放空間の中に伸長する、請求項１に記載の容器。
【請求項１３】
各容器が、前記第１の直径と前記第２の直径との間に移行領域を含み、前記移行領域が、前記第１の直径よりも大きく、前記第２の直径よりも小さい第３の直径を有する、請求項１２に記載の容器。
【請求項１４】
蓋及び本体
を備える容器であって、
前記蓋が前記蓋の底縁から延在する隆起部分を有し、前記隆起部分が前記隆起部分の外部側面上で前記隆起部分の回りで周囲に配置されるシーラーの第１のセットと、前記隆起部分の内部側面上で前記隆起部分の回りで周囲に配置されるシーラーの第２のセットとを有し、
前記本体が、前記本体の上部外側リムに近接する溝を有し、前記溝が前記溝の開口部に配置されるガイドのセットを有し、
前記容器が、前記隆起部分が前記ガイドによって案内される前記溝の中に差し込まれ、前記シーラーが前記溝の内部側面との摩擦シールを生じさせるように、前記蓋が前記本体に置かれる閉められた位置を有するように適応される
容器。
【請求項１５】
シーラーの前記第１のセットが、前記隆起部分の前記内部側面から突出する３つのリブのセットであり、シーラーの前記第２のセットが前記隆起部分の前記外部側面から突出する３つのリブのセットである、請求項１４に記載の容器。
【請求項１６】
前記蓋の１つ又は複数の外部側面が前記本体の１つ又は複数の外部側面と同一平面上で合わさる、請求項１５に記載の容器。
【請求項１７】
前記本体の前記内部空間が内部コンパートメントに区切られ、各コンパートメントが単一の煙草又は単一の銃弾を保持するサイズに作られる、請求項１６に記載の容器。
【請求項１８】
上部部分と、
前記上部部分から延在し、外側周縁を形成する蓋壁と、
前記上部部分から反対方向で前記蓋壁から延在する突出端部であって、前記突出端部が前記外側周縁よりも小さいサイズに作られる内側周縁を形成し、前記突出端部が前記突出端部の第１の側面に配置される１つ又は複数の第１の摩擦シーラー（複数の場合がある）と、前記第１の側面の反対側である前記突出端部の第２の側面に配置される１つ又は複数の第２の摩擦シーラー（複数の場合がある）とを有する前記突出端部と
を含む蓋と、
底部部分であって、本体壁が、前記本体壁の近端部から前記本体壁の遠端の最外端部まで前記底部部分から延在し、前記本体壁が内側で空洞、及び外側で本体周縁を形成し、前記本体周縁が前記近端部と前記遠端の最外端部との間で実質的に一貫したサイズを有し、前記外側周縁と実質的に同じサイズに作られる、底部部分と、
前記遠端の最外端部の最外端縁の回りに形成され、閉められていない位置から閉められた位置に前記突出端部を案内するように適応された第１のガイドを有する上部外側リムと、
前記閉められていない位置から前記閉められた位置に前記突出端部を案内するように適応された第２のガイドを有する前記遠端の最外端部の最内端縁の回りに形成された上部内側リムであって、前記上部外側リム及び前記上部内側リムが前記遠端の最外端部全体の回りに配置され、前記上部外側リムと前記上部内側リムとの間に溝を有し、前記溝が、前記容器が前記閉められた位置にあるときに摩擦シール内に前記突出端部を受け入れるサイズに作られる、上部内側リムと、
を含む本体と、
を備え、
前記閉められた位置で、前記蓋及び前記本体が同一平面上の嵌合部を形成し、前記空洞が防水及び気密であり、前記蓋の部分が前記閉められた位置で前記空洞の中に又は前記本体周縁を越えて延在するように構成されない、
容器。
【請求項１９】
前記第１のシーラーが、前記突出端部の前記内部側面から突出する３つのリブのセットであり、前記第２のシーラーが前記突出端部の前記外部側面から突出する３つのリブのセットであり、前記第１のガイド及び前記第２のガイドがそれぞれ丸みを帯びた端縁である、請求項１８に記載の容器。
【請求項２０】
前記空洞が前記底部部分から延在する１つ又は複数のコンパートメントを含み、各コンパートメントが、第１の直径の底部チャンバ部分、及び前記第１の直径よりも大きい第２の直径の上部チャンバ部分を有し、前記チャンバ部分が吊るされた位置で銃弾を保持するように適応され、これにより前記銃弾の先端が前記底部部分に接触せずに前記底部チャンバ部分の中に下方に伸長し、前記銃弾の上部リムが前記コンパートメント上方及び前記本体壁の前記遠端の最外端部の下方の開放空間の中に、前記上部チャンバ部分上方に伸長し、さらに各容器が前記第１の直径と前記第２の直径との間に移行領域を含み、前記移行領域が平らな角のある部分、前記上部チャンバ部分と前記平らな角のある部分との間に丸みを帯びた端縁、及び前記平らな角のある部分と前記底部チャンバ部分との間に別の丸みを帯びた端縁を有する、請求項１９に記載の容器。
【発明の詳細な説明】
【技術分野】
【０００１】
（関連出願の相互参照）
本願は、参照によりそのすべてが本明細書に組み込まれる２０１３年７月１９日に出願された米国仮特許出願第６１／８５６，４１０号、２０１４年５月５日に出願された米国仮特許出願第６１／９８８，７４５号、及び２０１４年７月２１日に出願された米国仮特許出願第６２／０２６，８７７号に基づく優先権を主張する。
【０００２】
本開示は、さまざまな用途のための密封可能容器に関係するシステム及び方法に関する。人が１つ又は複数の品目を保護された状態に保つ、整頓された状態に保つ、乾燥した状態に保つ、及び可搬に保つことを希望するであろうときには多くの状況がある。キャンプ、釣り、又は狩猟等の濡れた環境又は汚れた環境での屋外活動及び作業活動は、係る特徴を達成できるであろう容器が、例えば弾薬又は発火材料を保持するために役立つであろう多くの機会を提示するだろう。また、係る容器は、例えば化粧品、画材、又は煙草及びマッチを保持するために日常生活でも役立つであろう。
【背景技術】
【０００３】
本開示のシステム及び方法は、密封可能容器に関係することがある。本開示の容器の実施形態は蓋及び本体を含んでよい。蓋は上部部分、上部部分から延在し、外側周縁を形成する蓋壁、及び上部部分から反対方向で蓋壁から伸長する突出端部を含んでよく、突出端部は外側周縁よりも小さいサイズに作られる内側周縁を形成する。本体は底部部分、本体壁の近端部から本体壁の遠端の最外端部まで底部部分から延在する本体壁を含んでよく、本体壁は内側で空洞を形成し、外側で本体周縁を形成し、本体周縁は近端部と遠端の最外端部との間で実質的に一貫したサイズを有し、外側周縁と実質的に同じサイズに作られている。また、本体は遠端の最外端部の最外端縁の回りに形成された上部外側リム、及び遠端の最外端部の内縁の回りに形成された上部内側リムも含んでよい。上部外側リム及び上部内側リムは、遠端の最外端部全体の回りに配置されてよく、上部外側リムと上部内側リムとの間に溝を有することがあり、溝は、容器が閉められた位置にあるときに摩擦シール内に突出端部を受け入れるサイズに作られている。蓋の部分は、閉められた位置で空洞の中に又は本体周縁部を越えて延在するように構成されないことがある。
【発明の概要】
【発明が解決しようとする課題】
【０００４】
本開示の容器の実施形態は、蓋及び本体を含んでよい。蓋は蓋の底縁から延在する隆起部分を有してよい。隆起部分は、隆起部分の外部側面上で隆起部分の回りで周囲に配置されるシーラーの第１のセット及び隆起部分の内部側面上で隆起部分の回りで周囲に配置されるシーラーの第２のセットを有してよい。本体は本体の上記外側リムに近接した溝を有し、溝は溝の開口部に配置されるガイドのセットを有することがある。容器は、隆起部分がガイドに案内される溝の中に差し込まれ、シーラーが溝の内部側面と摩擦シールを生じさせるように蓋が本体の上に配置される閉められた位置を有するように適応されてよい。
【０００５】
本開示の容器の実施形態は、蓋及び本体を含んでよい。蓋は上部部分、上部部分から延在し、外側周縁を形成する蓋壁、及び上部部分から反対方向で蓋壁から延在する突出端部を含み、突出端部は外側周縁よりも小さいサイズに作られる内側周縁を形成する。突出端部は突出端部の第１の側面に配置される１つ又は複数の第１の摩擦シーラー（複数の場合がある）、及び第１の側面の反対側である突出端部の第２の側面に配置される１つ又は複数の第２の摩擦シーラー（複数の場合がある）を有してよい。本体は底部部分、本体壁の近端部から本体壁の遠端の最外端部に底部部分から延在する本体壁を含んでよく、本体壁は内側で空洞及び外側で本体周縁を形成する。本体周縁は近端端部と遠端の最外端部との間で実質的に一貫したサイズを有してよく、外側周縁と実質的に同じサイズに作られてよい。また、本体は遠端の最外端部の最外端縁の回りに形成され、閉められていない位置から閉められた位置へ突出端部を案内するように適応された第１のガイドを有する上部外側リム、及び閉められていない位置から閉められた位置に突出端部を案内するように適応された第２のガイドを有する遠端の最外端部の最内端縁の回りに形成された上部内側リムも含んでよい。上部外側リム及び上部内側リムは遠端の最外端部全体の回りに配置されてよく、上部外側リムと上部内側リムとの間に溝を有してよい。溝は、容器が閉められた位置にあるときに摩擦シール内に突出端部を受け入れるサイズに作られてよい。閉められた位置で、蓋及び本体は同一平面上の嵌合部を形成してよく、空洞は防水及び気密であってよく、蓋のどの部分も閉められた位置で空洞の中に又は本体周縁を越えて延在するように構成されないことがある。
【課題を解決するための手段】
【０００６】
本開示の優位点は、図面及び発明を実施するための形態を検討した後により容易に理解される。
【図面の簡単な説明】
【０００７】
【図１】本開示に係る容器の実施形態の概略図である。
【図２】蓋及び本体が取り付けられていない容器の実施形態の斜視図である。
【図３】蓋及び本体が閉められた位置で取り付けられた容器の図２の実施形態の斜視図である。
【図４】図２の蓋の実施形態の斜視図である。
【図５】図２の蓋の実施形態の底縁から延在する隆起部分の、図４の平面５−５に沿ってとられる断面図である。
【図６】図２の本体の実施形態の平面図である。
【図７】本体の実施形態の、図２の平面７−７に沿ってとられた断面図を示す図である。
【図８】容器の本体の上縁の中に配置された溝を示す、容器の本体の実施形態の断面の図７の８でとられる詳細な図である。
【図９】ガイドのセットを示す、本体の実施形態の断面の、図８の９でとられる詳細図である。
【図１０】本体の溝の中に差し込まれた蓋の隆起部分を示す、閉められた位置の容器の実施形態の断面図である。
【図１１】蓋及び本体が取り付けられていない容器の別の実施形態の斜視図である。
【図１２】図１１の本体の実施形態の図１１の平面１２−１２に沿ってとられた断面図である。
【図１３】図１１の本体の実施形態の平面図である。
【図１４】蓋及び本体が取り付けられていない容器の別の実施形態の斜視図である。
【図１５】閉められた位置で蓋及び本体が取り付けられた図１４の容器の実施形態の図１４の平面１５−１５に沿ってとられる断面図である。
【図１６】本体の別の実施形態の断面図である。
【０００８】
図面は、本開示に係る１つ又は複数の容器の実施形態及び概略概念を示す。これらの図面の目的は本開示の原理を説明するのに役立つことである。したがって、図面は本開示の範囲を実施形態及び実施形態に示される概略概念に制限すると見なされるべきではない。本明細書に教示される本開示の原理に従う容器の他の実施形態が作成されてよく、これらの他の実施形態は本開示の範囲内に含まれることを目的とする。
【発明を実施するための形態】
【０００９】
図１を参照すると、本開示の容器１０は蓋１２及び本体１４を含んでよい。蓋１２は上部部分１１及び上部部分１１から延在する蓋壁１３を有してよい。これらの蓋壁は外側周縁（例えば、図２を参照）を形成してよい。蓋１２は上部部分１１から反対方向で蓋壁１３の底部１８に近接してから伸長する隆起部分つまり突出端部１６を有してよい。突出端部１６は、外側周縁よりも小さいサイズで作られる内側周縁を形成してよい（例えば、図２及び図１１を参照すること）。
【００１０】
本体１４は、底部部分３１及び近端部３５から遠端の最外端部３７へ、底部部分３１から延在する本体壁３３を有してよい。本体壁３３は内側で空洞、及び外側で本体周縁を形成してよい（例えば、図２及び図１１を参照すること）。本体周縁は実質的に一貫したサイズを有してよく、蓋１２の外側周縁と実質的に同じサイズであってよい。「実質的に」によって、どのような製造技法が使用されても公差範囲内が意味される。
【００１１】
本体１４は、遠端の最外端部３７の最外端縁の回りに形成された上部外柄リム２２を有してよい。本体１４は、遠端の最外端部３７の内縁の回りに形成された上部内側リム２３を有してよい。上部外側リム２２及び上部内側リム２３は遠端の最外端部３７全体の回りに配置されてよく、上部外側リム２２と上部外側リム２３との間に溝２０を有してよい。
【００１２】
容器１０が閉められた位置にあるとき、蓋１２は、隆起部分１６が溝２０の中に差し込まれるように本体１４上に置かれてよい。隆起部分１６を溝２０の中に案内するために上部外側リム２２に近接して第１のガイド２４があってよい。隆起部分１６を溝２０の中に案内するために上部内側リム２３に近接して第２のガイド２４があってよい。隆起部分１６は、隆起部分１６の外部側面２８の上で、及び／又は隆起部分１６の内部側面３０の上で隆起部分１６の回りで周辺に配置される１つ又は複数のシーラー２６を有してよい。シーラー２６は、蓋１２が本体１４との閉められた位置にあるときに溝２０の側面３２に係合し、摩擦嵌合部つまりシールを生じさせ、このようにして水又は空気が容器１０に進入するのを防いでよい。
【００１３】
容器１０は、ゼロ以上の仕切り３６によって区切られる１つまたは複数の異なる内部コンパートメント３４を有してよい。
【００１４】
図１は概略図であり、縮尺通りに描かれていない。蓋壁の外側周縁、隆起部分１６の内側周縁、及び本体壁３３によって形成される本体周縁等の特定の要素は、例えば図２及び図１１等の他の図で最もよく見られる。
【００１５】
容器１０は、プラスチックを含んだ任意の適切な材料から作られてよい。プラスチックは強力で耐久性があり、消費者に安全であってよい。容器１０は所与の材料に適切な任意のプロセスで構築されてよい。容器１０がプラスチック製である場合、容器１０はとりわけ射出成形プロセスを使用して構築されてよい。
【００１６】
容器１０はユーザによって決定されたさまざまな目的に役立ってよい。例えば、ユーザは多様な煙草製品又は一連の弾薬を保持するために容器１０を希望することがある。容器１０のサイズ及び外部寸法、並びに内部コンパートメント３４の構成は、容器１０の使用目的によって決定されてよい。例えば、一連の弾薬を保持することを目的とした容器１０は、煙草を保持することを目的とした容器１０よりも背が高いことがある。さらに、煙草を保持するように構成された内部コンパートメント３４は、一連の弾薬を安全に保持し得ないことがある。底部部分３１は実質的に平坦であってよく、容器１０が支えられずに立つことを可能にする。
【００１７】
図２は取り付けられていない位置での、すなわち蓋１１２及び本体１１４が互いから分離している容器１１０の第１の実施形態を示す。蓋１１２は上部部分１１１及び外側周縁１１５を有してよい。隆起部分つまり突出端部１１６は蓋１１２の底縁１１８から延在し、内側周縁１１７を形成してよい。隆起部分１１６の外部側面１２８はシーラー１２６で裏打ちされてよい。本実施形態では、シーラー１２６は隆起部分１１６の外部側面１２８から突出する３つのリブ１２６のセットである。隆起部分１１６の内側側面１３０はシーラー１２６で裏打ちされてよい。本実施形態では、シーラー１２６は、隆起部分１１６の内部側面１３０から突出する３つのリブ１２６のセットである。内側側面は図２では見ることができないが、図４では見ることができる。
【００１８】
本体１１４は、底部部分１３１及び本体周縁１３９を有してよい。本体周縁１３９は本体に沿った多様な点で実質的に同じサイズであってよい。本体周縁１３９は蓋１１２の外側周縁１１５と実質的に同じサイズであってよい。溝１２０は本体１１４の上部外側リム１２２と上部内側リム１２３との間に配置されてよい。容器１１０のいくつか又はすべての外部端縁１３８及びいくつか又はすべての外部角１４０は丸みを帯びてよい。蓋１２の外部表面１４２及び本体１４の外部表面１４４は容器１１０を把持する人間の能力を改善するために質感を持たされてよい。
【００１９】
本実施形態では、内部コンパートメント１３４ａのセットのいくつかは個々の煙草を保持するように構成されてよい。一方、別の内部コンパートメント１３４ｂはマッチ又は他の点火具を保持するように構成されてよい。内部コンパートメント１３４ａ及び１３４ｂは仕切り１３６によって区切られてよい。
【００２０】
図３は、閉められた、すなわち蓋１１２及び本体１１４が接続されている位置にある容器１１０の実施形態を示す。蓋１１２は本体１１４と同一平面で嵌合してよい。「同一平面上の」は、蓋１１２の外部側面１４６及び本体１１４の外部側面１４８が、蓋１１２が本体１１４に取り付けられるときに１５０で概して示される１つの表面を形成する、又は実質的に形成することを意味する。表面１５０は、突起、又は蓋１１２及び本体１１４が合わさる他の特徴を有さないことがある。蓋１１２及び本体１１４は容器１１０の４つすべての側面で同一平面で嵌合してよい。
【００２１】
容器１１０の特徴は、より大きな容器の内部又は人のポケット内にある間に容器１１０が不注意に開くのを妨げてよい。容器１１０の本実施形態が閉められた位置にあるとき、外部寸法は製作公差次第で幅が約１．５４インチとなり、長さが約２．６インチとなり、高さが約３．６５インチとなるほどであってよい。他の寸法は、容器１１０が保持することを目的とする煙草の数及びサイズに応じて適切であってよい。
【００２２】
図４は、隆起部分１１６の外部側面１２８上に３つのリブ１２６のセット、及び隆起部分１１６の内部側面１３０上に３つのリブ１２６のセットを有する蓋１１２の実施形態を示す。外部端縁１３８が丸みを帯びているのに加えて、すべての内部端縁１５２も丸みを帯びていてよい。
【００２３】
図５は、蓋１１２上の隆起部分１１６の実施形態の、図４の平面５−５に沿ってとられる断面図である。隆起部分１１６の外部側面１２８及び内部側面１３０の両方で、リブ１２６は隆起部分１１６の表面から突出してよい。
【００２４】
図６は、図２からの本体１１４の実施形態の上から見下ろす図を示す。溝１２０は、上部外側リム１２２と上部内側リム１２３との間に位置してよい。内部コンパートメント１３４ａ及び１３４ｂは、仕切り１３６によって区切られてよい。仕切り１３６が互いと合わさる、又は仕切り１３６が本体１１４の内部壁と合わさる内部端縁１５２は丸みを帯びていてよい。
【００２５】
図７は、容器１１０の本体１１４の実施形態の、図２の平面７−７に沿ってとられる断面図である。溝１２０は上部外側リム１２２及び上部内側リム１２３に近接してよい。仕切り１３６は、個々のタバコを受け入れるサイズに作られた１つ又は複数のコンパートメント１３４ａの中に、及び／又はマッチもしくは煙草を点火できるだろう他の材料を受け入れるサイズに作られた１つまたは複数のコンパートメント１３４ｂの中に本体１１４の内部空間を分離してよい。本体１１４の、仕切り３６が互いと合わさる内部端縁１５２、壁、又は床は丸みを帯びていてよい。内部端縁のこの丸みは内部コンパートメント１３４の内容物を保護するのを助け、内部コンパートメント１３４の清掃を容易にするのに役立つことがある。
【００２６】
図８は、容器１１０の本体１１４の実施形態の上部外側リム１２２及び上部内側リム１２３の、図７の８でとられる詳細な図である。溝１２０は、上部外側リム１２２及び上部内側リム１２３に近接してよい。第１のガイド１２４は、上部外側リム１２２が溝１２０と合わさる場所に近接してよい。第２のガイド１２４は、上部内側リム１２３が溝１２０と合わさる場所に近接してよい。図９に最もよく見られるように、ガイド１２４は丸みを帯びた端縁であってよい。ガイド１２４は、容器１１０を閉めるために溝１２０の中に隆起部分１１６（不図示）が摺動するのを助けてよい。
【００２７】
図９は、上部外側リム１２２、上部内側リム１２３、溝１２０、及びガイド１２４の、図８の９でとられるなおさらに詳細な図である。
【００２８】
図１０は、蓋１１２の隆起部分１１６が本体１１４の溝１２０の中に差し込まれているときの容器１１０の実施形態の詳細な断面図である。隆起部分１１６の外部側面１２８から延在するリブ１２６は溝１２０の側面１３２と物理的に接触することがある。隆起部分１１６の内部側面１３０から延在するリブ１２６は、溝１２０の側面１３２と物理的に接触することがある。この接触が摩擦嵌合部つまりシールを生じさせ得る。この接触は水または空気が容器１１０に進入するのを防ぐであろう気密の又は水密のシールを生じさせ得る。蓋１１２の外部側面１４６は、本体１１４の外部側面１４８と同一平面で嵌合してよい。
【００２９】
図１１は、取り付けられていない、すなわち蓋２１２及び本体２１４が接続されていない位置での容器２１０の別の実施形態を示す。本実施形態の特徴の大部分は、図１から図９を通して上述され、示される実施形態と同じまたは類似してよい。例えば、蓋２１２は隆起部分２１６の外部側面２２８上にシーラー２２６の第１のセット、及び隆起部分２１６の内部側面２３０上にシーラー２２６の第２のセット（この図では見えない。シーラー２２６の両方のセットの図については図４を参照すること）を有することがある。２つの実施形態間の主要な相違点は、内部コンパートメント２３４のセット及び内部コンパートメント２３４を区切る仕切り２３６のセットの構成、並びに容器２１０の外部寸法である。本実施形態では、内部コンパートメント２３４は一連の弾薬又は銃弾を保持するように構成されてよい。図１１で見られるように、内部コンパートメント２３４は概して円筒形の形状を有してよい。さらに、内部コンパートメント２３４の上方の本体２１４に開放空間２５４があってよい。この空間の１つの目的は図１２を用いて明らかにされる。容器２１０の本実施形態が閉められた位置にあるとき、外部寸法は、製作公差次第で幅が約１．２６インチとなり、長さが約３．０インチとなり、高さが約５．０インチとなるほどであってよい。他の寸法は、容器２１０が保持することを目的とする一連の弾薬の数及びサイズに応じて適切であってよい。
【００３０】
図１２は、本体２１４の、図１１の平面１２−１２でとられる断面図である。本実施形態では、内部コンパートメント２３４は概して円筒形である。内部コンパートメントは、下部部分２６２及び半径が変化する領域２６４の半径２６０よりもわずかに大きい上部部分２５８の半径２５６を有してよい。上部部分２５８と領域２６４との間の端縁２６３は丸みを帯びていてよい。領域２６４と下部部分２６２との間の別の端縁２６５も丸みを帯びていてよい。上部部分２５８が開放空間２５４と合わさる内部コンパートメント２３４の上縁２５６も丸みを帯びていてよい。図１２の破線は、一連の弾薬又は銃弾２６６が容器２１０内にあるだろうときの一連の弾薬又は銃弾２６６を示す。上部部分２５８の深さ、半径２５６、下部部分２６２の半径２６０、及び半径が変化する領域２６４の場所を含んだ内部コンパートメント２３４のすべての寸法は、一連の弾薬が示されるように安全に位置する、つまり一弾２６６の端部２６８が容器２１０の底部に乗らないように、及び一弾２６６の上部リム２７０が内部コンパートメント２３４上方の開放空間２５４の中に上方に突出するように選ばれてよい。これが容器２１０からの一弾２６６の除去を容易にし得る。他の所望される位置に銃弾を保持するための内部コンパートメント２３４の他の構成を所望されるように活用することもできる。
【００３１】
図１３は、容器２１０の本体２１４の実施形態の上から見下ろす図を示す。溝２２０は、上部外側リム２２２及び上部内側リム２２３に近接してよい。本実施形態では、内部コンパートメント２３４は一連の弾薬を保持するように構成されてよい。内部コンパートメント２３４は、概して、半径２５６がコンパートメントの上部、半径が減少する領域２６４に向かってより大きく、半径２６０がコンパートメントの底部に向かってより小さい円筒形であってよい。
【００３２】
図１４は、蓋３１２が本体３１４とは別個である容器３１０の別の実施形態の斜視図である。本実施形態では、容器３１０は単一の葉巻を保持するように構成される。蓋３１２は底縁３１８から延在する隆起部分３１６を有してよい。隆起部分３１６の外縁３１９は角があることもあれば、面取りされていることもある。隆起部分は、隆起部分３１６の外部側面３２８の回りで周囲に配置されるシーラー３２６を有してよい。容器３１０を閉めるために蓋３１２が本体３１４上に置かれるとき、シーラーは本体３１４の内部表面と係合してよい。本実施形態では、シーラー３２６は、隆起部分３１６の外部側面３２の表面から突出する３つのリブのセットであってよい。蓋３１２及び本体３１４は、概して形状が円筒形であってよく、本体３１４はただ１つのコンパートメント３３４を有してよい。蓋３１２は、蓋３１２の外部側面３４６に配置される垂直リブ３７２のセットを有してよい。これらの垂直リブは蓋３１２の外部側面３４６の表面から外へ拡張してよく、蓋３１２の外周の回りに規則正しく離間されてよい。垂直リブ３７２は、本体３１４から蓋３１２を取り除くことをさらに容易にしてよい。本体３１４の外部表面３４４は、容器３１０を把持する人間の能力を改善するために質感を持たされてよい。蓋３１２の上部及び本体３１４の底部での容器３１０の円形の端縁３３８は丸みを帯びていてよい。
【００３３】
図１５は、容器３１０の第３の実施形態の、図１４の１５−１５でとられる断面図である。蓋３１２は、この図では閉められた位置で本体３１４に取り付けられる。角のある外縁３１９は、本体３１４との閉められた位置の中へ蓋３１２を案内するのに役立つことがある。また、本体３１４の上部内縁は、本体３１４との閉められた位置の中に蓋３１２を案内するのを助けるために斜角を付けられてもよい。この斜角の端縁は丸みを帯びていてよい。蓋３１２の外部側面３４６は本体３１４の外部側面３４８と同一平面で嵌合または実質的に嵌合してよい。外部端縁３３８及び内部端縁３５２は丸みを帯びてよい。容器３１０の本実施形態が取り付けられた位置にあるとき、外部寸法は、製作公差次第で直径が約１．２インチとなり、高さが約７．０５インチとなるほどであってよい。他の寸法は、容器３１０が保持することを目的とする葉巻、煙草、又は他の巻かれた煙草製品のサイズに応じて適切であってよい。
【００３４】
図１６は、容器４１０の本体４１４の別の実施形態の断面図である。この第４の実施形態４１０の一般的な形状は上記に及び図１４及び図１５に説明される実施形態３１０に類似している。主要な相違点は内部コンパートメント４３４の形状である。上述された実施形態２１０に同様に、内部コンパートメント４３４は単一の一連の弾薬を保持するように構成されてよい。内部コンパートメント４３４は、下部部分４６２の半径４６０よりも大きい上部部分４５８、及び半径が減少する領域４６４の半径４５６を有して概して円筒形である。上部部分４５８と領域４６４との間の端縁４６３は丸みを帯びていてよい。領域４６４と下部部分４６２との間の別の端縁４６５も丸みを帯びていてよい。容器４１０の本実施形態が取り付け位置にあるとき、外部寸法が、製作公差次第で直径が約０．６７インチとなり、高さが約５．６インチとなるほどであってよい。他の寸法は、容器３１０が保持することを目的とする一連の弾丸のサイズに応じて適切であってよい。さらに、半径４５６、半径４６０、及び領域４６４の位置は特定の一連の弾薬を収容するように構成されてよい。
【００３５】
１つまたは複数の容器の実施形態が特に示され、説明されてきたが、その中で多くの変化が加えられることがある。本開示は、特徴、機能、要素、及び／又は特性の多様な組合せを対象とした１つまたは複数の独立実施形態又は相互依存実施形態を含んでよい。特徴、機能、要素、及び／又は特性の他の組合せ及びサブコンビネーションが関連出願で後に主張される可能性がある。また、係る変形形態は、それらが異なる組合せを対象とするのか、それとも同じ組み合わせを対象とするのかに関わらず、範囲において異なっているのか、より幅広いのか、より狭いのか、又は等しいのかに関わらず、本開示の主題の中に含まれるとして見なされる。したがって、上記実施形態は例示的であり、単一の特徴又は要素又はその組合せは本願又は後の出願で主張される可能性があるすべての考えられる組合せに必須ではない。
【００３６】
本明細書に説明される開示は、独立したユーティリティを有する複数の異なる発明を包含すると考えられる。これらの発明のそれぞれはその好ましい形式で開示されてきたが、本明細書に開示され、示されているその特定の実施形態は、多数の変形形態が考えられるので制限的な意味で検討されるべきではない。各例は上記開示に開示される実施形態を定義するが、任意の１つの実施例は最終的に主張される可能性があるすべての特徴又は組合せを必ずしも包含しない。説明が「ある」または「第１の」要素またはその同等物を列挙する場合、係る説明は２つ以上の係る要素も必要としなければ、２つ以上の係る要素も除外しない１つ又は複数の係る要素を含む。さらに、特定された要素のための第１の、第２の、又は第３の等の序数表示は要素を区別するために使用され、係る要素の必要とされる数又は限られた数を示さず、特に明確に指定のない限り係る要素の特定の位置又は順序を示していない。
【図１】
2016525049.tif 000003
【図２】
2016525049.tif 000004
【図３】
2016525049.tif 000005
【図４】
2016525049.tif 000006
【図５】
2016525049.tif 000007
【図６】
2016525049.tif 000008
【図７】
2016525049.tif 000009
【図８】
2016525049.tif 000010
【図９】
2016525049.tif 000011
【図１０】
2016525049.tif 000012
【図１１】
2016525049.tif 000013
【図１２】
2016525049.tif 000014
【図１３】
2016525049.tif 000015
【図１４】
2016525049.tif 000016
【図１５】
2016525049.tif 000017
【図１６】
2016525049.tif 000018
【国際調査報告】
2016525049.tif 000019